(57)【要約】【課題】  一枚のシートより構成されたシート式団扇を提供する。【解決手段】  可撓性シートからなる本体下部より左右斜下方向に向け長尺状に張出した把手部を設け、把手部を基端部から逆方向へ湾曲させ折り返し、その先端面を各々本体中央左右面に着脱自在に結合し、湾曲した本体及び湾曲したシート状の把手を形成したことを特徴とするシート式団扇。【選択図】図１
2009039531.tif 000002
【特許請求の範囲】
【請求項１】
可撓性シートからなる本体下部より左右斜下方向に向け長尺状に張出した把手部を設け、把手部を基端部から逆方向へ湾曲させ折り返し、その先端面を各々本体中央左右面に着脱自在に結合し、湾曲した本体及び湾曲したシート状の把手を形成したことを特徴とするシート式団扇。
【請求項２】
把手部の先端面と本体中央左右面に固定用スナップ又は面ファスナーを設け、把手部を基端部から逆方向へ湾曲させ折り返し把手部のスナップ又は面ファスナーを本体中央左右面のスナップ又は面ファスナーに着脱自在に接合・固定することにより、湾曲した本体及び湾曲したシート状の把手を形成したことを特徴とする請求項１のシート式団扇。
【請求項３】
把手部の先端に挿入弁を設け、本体左右面に切込みを設け、把手部を基端部から逆方向へ湾曲させ折り返し把手部の挿入弁を切込みに挿入することにより着脱自在に固定し、湾曲した本体及び湾曲したシート状の把手を形成したことを特徴とする請求項１のシート式団扇。
【発明の詳細な説明】
【技術分野】
【０００１】  本発明は一枚のシートより構成されたシート式団扇に関するものである。
【背景技術】
【０００２】  従来の団扇としては、竹、又は樹脂製の骨組に紙を貼ったものが一般的である。
なお、円形の厚紙に円形の指通し穴を設けたものが知られており、そのほか、持ち易い簡易うちわ（特許文献１）や、団扇の一部に親指以外の指を入れるための穴と、物を挟み込む為の複数の切込み線やポケットを設け、また団扇の中心付近に折り目を設けて二つに折たためる団扇（特許文献２）や、二枚羽のうちわ（特許文献３）などが知られている。
【特許文献１】特許公開平８−１９１７０５号公報
【特許文献２】特許公開２００３−６１７２６号公報
【特許文献３】特許公開２００３−２７５００８号公報
【発明の開示】
【発明が解決しようとする課題】
【０００３】  そのために次のような問題点があった。
（イ）従来の竹、又は樹脂製の骨組に紙を貼った団扇は構造が複雑である。
（ロ）円形厚紙に円形の指通し穴を設けた団扇などの紙製団扇は簡便ではあるが、扇ぐために必要な強度を得るためには、ある程度の本体の厚さを必要とする。そのため本体が薄い素材の場合、団扇全体の強度が足りず扇ぐたびに団扇全体が風の抵抗を受けてしなり、団扇で風を生み出す機能を発揮できない。
（ハ）従来の団扇は折りたたみが不可能な構造のものがほとんどで、ポケットやバッグ等に収納するのに不向きである。
本発明は、これらの問題を解決するためになされたものである。
【課題を解決するための手段】
【０００４】  可撓性シートからなる本体下部より左右斜下方向に向け長尺状に張出した把手部を設け、把手部を基端部から逆方向へ湾曲させ折り返し、その先端面を各々本体中央左右面に着脱自在に結合し、湾曲した本体及び湾曲したシート状の把手を形成した。以上よりなるシート式団扇である。
【発明の効果】
【０００５】  一枚の紙又は可撓性樹脂シートからなる簡便なうちわであり、湾曲したシート状の把手が手に持ち易く、且つ本体が把手の折り返しにより湾曲しているため強度が保たれ扇ぎ易い。シートに円形の指通し穴を設けた従来の紙製団扇と比較し、本体の厚さが半分以下でも充分扇ぐための強度がある。また組立後湾曲した把手は右手・左手とどちらでも持ち易くなっている。さらに、コンパクトに折り畳む事が可能な構造のものは携帯・収納性に優れる。
【発明を実施するための最良の形態】  以下、本発明の実施の形態を説明する。【０００６】  本発明は、紙又は可撓性樹脂シートからなる略円形状の本体（１）下部を基端部（２）とし、基端部（２）より左右斜下方向に長尺状に張出した把手部（３）を逆方向に湾曲させ折り返し、その先端（４）面を本体中央左右面に着脱自在に結合し、上方より見て８の字状に湾曲した本体（１）及び上方より見て８の字状に湾曲したシート状の把手部（３）を形成したことを特徴とするシート式団扇の発明である。
【実施例１】
【０００７】  （イ）紙又は可撓性樹脂シートからなる略円形状の本体（１）の下部を基端部（２）とし、基端部（２）より右斜下方向に向け長尺状に張出した把手部（３ａ）を設け、基端部（２）より左斜下方向に向け長尺状に張出した把手部（３ｂ）を設け、把手部（３ａ）把手部（３ｂ）の外側横縁に縦長状に湾曲した弓状の折目（５）を設ける。
（ロ）本体（１）の中央左側表面に両面粘着テープ（６ａ）を貼り付け、本体（１）の中央右側裏面に両面粘着テープ（６ｂ）を貼り付ける。
（ハ）把手部（３ａ）を基端部（２）から表面に湾曲させ逆方向へ折り返し、その先端（４ａ）を両面粘着テープ（６ａ）に貼着し、把手部（３ｂ）を基端部（２）から裏面に逆方向へ湾曲させ折り返し、その先端（４ｂ）を両面粘着テープ（６ｂ）に貼着し、湾曲した本体（１）並びに、湾曲し上方向に開口部（７）を形成したシート状の把手部（３ａ）把手部（３ｂ）を形成する。
（ニ）把手部（３ａ）把手部（３ｂ）の外側横縁を折目（５）に沿って内側に折込み弓状の縁壁（８）を形成する。
（ホ）本体（１）と把手部（３）を着脱自在に結合する手段として、粘着剤やジョイント等の金具、又は糸等を用いて縫い付ける方法も可能である。
本発明は以上の構成からなっている。
本発明を使用するときは、図２に示すように把手部（３）を手（９）で持ち、扇ぐ。
このとき本体（１）は把手部（３）を含め本体（１）を上方から見て８の字状に湾曲する構造となるため、本体（１）が薄い素材で形成されている場合でも扇ぐための強度が保たれ、且つ手（９）で持ち易く扇ぎ易い構造となっている。
【実施例２】
【０００８】  （イ）紙又は可撓性樹脂シートからなる略円形状の本体（１）の下部を基端部（２）とし、基端部（２）より右斜下方向に向け長尺状に張出した把手部（３ａ）を設け、基端部（２）より左斜下方向に向け長尺状に張出した把手部（３ｂ）を設け、把手部（３ａ）把手部（３ｂ）の外側横縁に縦長状に湾曲した弓状の折目（５）を設ける。
（ロ）把手部（３ａ）の先端（４ａ）にスナップ（１０ａ）を設け、把手部（３ｂ）の先端（４ｂ）にスナップ（１０ｂ）を設ける。
（ハ）本体（１）の中央左側面にスナップ（１０ｃ）を設け、本体（１）の中央右側面にスナップ（１０ｄ）を設ける。
（二）把手部（３ａ）を基端部（２）から正面に湾曲させ逆方向へ折り返し、スナップ（１０ａ）をスナップ（１０ｃ）に接合し、把手部（３ｂ）を基端部（２）から裏面に湾曲させ逆方向に折り返し、スナップ（１０ｂ）をスナップ（１０ｄ）に接合し、湾曲した本体（１）並びに、湾曲し上方向に開口部（７）を形成したシート状の把手部（３ａ）把手部（３ｂ）を形成する。
（ホ）把手部（３ａ）把手部（３ｂ）の外側横縁を折目（５）に沿って内側に折込み、弓状の縁壁（８）を形成する。
（ヘ）本体（１）と把手部（３）接合する手段として、図１０に示すように、スナップ（１０）を面ファスナー（１１）に置き換えることとも可能である。
本発明は以上の構成からなっている。
本発明を使用するときは、図２に示すように把手部（３）を手（９）で持ち、扇ぐ。
このとき本体（１）は把手部（３）を含め本体（１）を上方から見て８の字状に湾曲する構造となるため、本体（１）が薄い素材で形成されている場合でも扇ぐための強度が保たれ、且つ手（９）で持ち易く扇ぎ易い構造となっている。
【実施例３】
【０００９】  （イ）紙又は可撓性樹脂シートからなる略円形状の本体（１）の下部を基端部（２）とし、基端部（２）より右斜下方向に向け長尺状に張出した把手部（３ａ）を設け、基端部（２）より左斜下方向に向け長尺状に張出した把手部（３ｂ）を設け、把手部（３ａ）の外側横縁に縦長状に湾曲した弓状の折目（５ａ）を設け、把手部（３ｂ）の外側横縁に縦長状に湾曲した弓状の折目（５ｂ）を設ける。
（ロ）把手部（３ａ）の先端（４ａ）に挿入弁（１２ａ）を設け、把手部（３ｂ）の先端（４ｂ）に挿入弁（１２ｂ）を設ける。
（ハ）本体（１）の中央下部左側に、左上より右下方向に向け線状の切込み（１３ａ）を設け、本体（１）の中央下部右側に、右上より左下方向に向け線状の切込み（１３ｂ）を設ける。
（ニ）基端部（２）から右斜上方向に向け折目（５ｃ）を設け、基端部（２）から左斜上方向に向け折目（５ｄ）を設ける。
（ホ）本体（１）の上端に穴（１４）を設ける。
（ヘ）図１２に示すように、把手部（３ａ）を折目（５ｃ）から正面に折曲し、挿入弁（１２ａ）を切込み（１３ａ）に挿入し、把手部（３ｂ）を折目（５ｄ）から裏面に折曲し、挿入弁（１２ｂ）を切込み（１３ｂ）に挿入し、図１３に示すように本体（１）を上方から見て８の字状に湾曲させ、且つ上方向に開口部（７）を形成した把手部（３ａ）把手部（３ｂ）を形成する。
（ト）把手部（３ａ）の外側横縁を折目（５ａ）に沿って内側に折込み、把手部（３ｂ）の外側横縁を折目（５ｂ）に沿って内側に折込み、弓状の縁壁（８）を形成する。
本発明は以上の構成からなっている。
本発明を使用するときは、図２に示すように把手部（３）を手（９）で持ち、扇ぐ。
このとき本体（１）は把手部（３）を含め本体（１）を上方から見て８の字状に湾曲する構造となるため、本体（１）が薄い素材で形成されている場合でも扇ぐための強度が保たれ、且つ手（９）で持ち易く扇ぎ易い構造となっている。また、穴（１４）をフック等に引っ掛け、本体（１）を釣り下げる事が可能な構造となっている。さらに、ＰＰシートなどの可撓性樹脂シートにより本体（１）を構成したものは、筒状に丸めて収納することも可能な構造となっている。
【実施例４】
【００１０】  （イ）紙又は可撓性樹脂シートからなる略円形状の本体（１）の下部を基端部（２）とし、基端部（２）より右斜下方向に向け長尺状に張出した把手部（３ａ）を設け、基端部（２）より左斜下方向に向け長尺状に張出した把手部（３ｂ）を設け、把手部（３ａ）の外側横縁に縦長状に湾曲した弓状の折目（５ａ）を設け、把手部（３ｂ）の外側横縁に縦長状に湾曲した弓状の折目（５ｂ）を設ける。
（ロ）把手部（３ａ）の先端（４ａ）に挿入弁（１２ａ）を設け、把手部（３ｂ）の先端（４ｂ）に挿入弁（１２ｂ）を設ける。
（ハ）本体（１）の中央下部左側に、左上より右下方向に向け線状の切込み（１３ａ）を設け、本体（１）の中央下部右側に、右上より左下方向に向け線状の切込み（１３ｂ）を設ける。
（ニ）本体中央右側に、円弧が内側を向くように半円状の切込み（１３ｃ）を設け留弁（１５ａ）を形成し、本体中央左側に円弧が内側を向くように半円状の切込み（１３ｄ）を設け留弁（１５ｂ）を形成し、本体中央部に円弧が下方を向くように半円状の切込み（１３ｅ）を設け留弁（１５ｃ）を形成し、さらにその下部に円弧が下方を向くように半円状の切込み（１３ｆ）を設け留弁（１５ｄ）を形成し、本体下部右側に円弧が内側を向くように半円状の切込み（１３ｇ）を設け留弁（１５ｅ）を形成し、本体下部左側に円弧が内側を向くように半円状の切込み（１３ｈ）を設け留弁（１５ｆ）を形成する。
（ホ）基端部（２）から右斜上方向に向け折目（５ｃ）を設け、基端部（２）から左斜上方向に向け折目（５ｄ）を設ける。
（ヘ）本体（１）から基端部（２）までを上下に三分割するように、本体（１）中央上側に折目（５ｅ）を水平に設け、本体（１）中央下側に折目（５ｆ）を水平に設ける。
（ト）本体（１）の上端に穴（１４）を設ける。
（チ）図１６に示すように、把手部（３ａ）を折目（５ｃ）から正面に折曲し、挿入弁（１２ａ）を切込み（１３ａ）に挿入し、把手部（３ｂ）を折目（５ｄ）から裏面に折曲し、挿入弁（１２ｂ）を切込み（１３ｂ）に挿入し、図１７に示すように本体（１）を上方から見て８の字状に湾曲させ、且つ上方向に開口部（７）を形成した把手部（３ａ）把手部（３ｂ）を形成する。
（リ）把手部（３ａ）の外側横縁を折目（５ａ）に沿って内側に折込み、把手部（３ｂ）の外側横縁を折目（５ｂ）に沿って内側に折込み、弓状の縁壁（８）を形成する。
本発明は以上の構成からなっている。
本発明を使用するときは、図２に示すように把手部（３）を手（９）で持ち、扇ぐ。
このとき本体（１）は把手部（３）を含め本体（１）を上方から見て８の字状に湾曲する構造となるため、本体（１）が薄い素材で形成されている場合でも扇ぐための強度が保たれ、且つ手（９）で持ち易く扇ぎ易い構造となっている。さらに図１９に示すように、把手部（３ａ）を折目（５ｃ）から正面に折曲し留弁（１５ｆ）に咬止させ、把手部（３ｂ）を折目（５ｄ）から裏面に折曲し留弁（１５ｅ）に咬止させた状態で、名刺等のカード（１６）を留弁（１５ｃ）留弁（１５ｆ）把手部（３ａ）に咬止させることが可能な構造となる。また、穴（１４）をフック等に引っ掛け、本体（１）を釣り下げる事が可能な構造となっている。さらに図２０に示すように把手部（３ａ）把手部（３ｂ）を折曲し咬止させた状態の本体（１）を折目（５ｅ）折目（５ｆ）で折曲し、図２１に示すように本体（１）の上端部を留弁（１５ｄ）に咬止し、本体（１）の左右上部を留弁（１５ａ）留弁（１５ｂ）で咬止することにより、本体（１）を封筒状に折り畳むことが可能な構造となっている。また、ＰＰシートなどの可撓性樹脂シートにより本体（１）を構成したものは、筒状に丸めて収納することも可能な構造となっている。
【図面の簡単な説明】
【００１１】
【図１】本発明の正面透視図
【図２】本発明の使用状況を示す斜視透視図
【図３】本発明の展開透視図
【図４】本発明の上面透視図
【図５】本発明の側面透視図
【図６】本発明の他の実施例の展開透視図
【図７】本発明の他の実施例の正面透視図
【図８】本発明の他の実施例の上面透視図
【図９】本発明の他の実施例の側面透視図
【図１０】本発明の他の実施例の展開透視図
【図１１】本発明の他の実施例の展開図
【図１２】本発明の他の実施例の正面透視図
【図１３】本発明の他の実施例の上面透視図
【図１４】本発明の他の実施例の側面透視図
【図１５】本発明の他の実施例の展開図
【図１６】本発明の他の実施例の正面透視図
【図１７】本発明の他の実施例の上面透視図
【図１８】本発明の他の実施例の側面透視図
【図１９】本発明の他の実施例の使用状況を示す斜視透視図
【図２０】本発明の他の実施例の使用状況を示す斜視図
【図２１】本発明の他の実施例の使用状況を示す斜視透視図
【符号の説明】
【００１２】１  本体
２  基端部
３  把手部
４  先端
５  折目
６  両面粘着テープ
７  開口部
８  縁壁
９  手
１０  スナップ
１１  面ファスナー
１２  挿入弁
１３  切込み
１４  穴
１５  留弁
１６  カード
【図１】
2009039531.tif 000003
【図２】
2009039531.tif 000004
【図３】
2009039531.tif 000005
【図４】
2009039531.tif 000006
【図５】
2009039531.tif 000007
【図６】
2009039531.tif 000008
【図７】
2009039531.tif 000009
【図８】
2009039531.tif 000010
【図９】
2009039531.tif 000011
【図１０】
2009039531.tif 000012
【図１１】
2009039531.tif 000013
【図１２】
2009039531.tif 000014
【図１３】
2009039531.tif 000015
【図１４】
2009039531.tif 000016
【図１５】
2009039531.tif 000017
【図１６】
2009039531.tif 000018
【図１７】
2009039531.tif 000019
【図１８】
2009039531.tif 000020
【図１９】
2009039531.tif 000021
【図２０】
2009039531.tif 000022
【図２１】
2009039531.tif 000023